(57)【特許請求の範囲】
【請求項１】
後側ケース部と前記後側ケース部の前面側に固定される前側ケース部とを備えたケース本体と、前記ケース本体の前面側を部分的に覆う構成で装着されるカバーケースと、を備え、前記ケース本体内の少なくとも上部側に発光表示パネルが配置されたリモコンであって、
前記前側ケースは、前記カバーケースに前側が覆われる本体部と、当該前側ケースの左右方向一部領域において前記本体部よりも前方側に突出して配置され且つ前記発光表示パネルからの光を透過させるように構成された前面視矩形状の透過部と、を備え、前記透過部の上端部が前記本体部の上端よりも上方に張り出す張出部として構成されており、
前記カバーケースは、前記透過部を挿入可能な開口部と、前記開口部の左右両側に配置される一対の被覆部と、を備え、前記一対の被覆部の上端部間に架設された形で前記開口部の上端部を構成する上枠部が設けられており、
前記ケース本体に前記カバーケースが取り付けられた取付状態では、前記開口部内に前記透過部が嵌り込むとともに前記一対の被覆部が前記開口部の左右両側で前記前側ケースの前記本体部を被覆するように配置され、且つ前記一対の被覆部の間に架設された前記上枠部が前記前側ケースの前記張出部の後方に配置された構成となることを特徴とするガス器具用のリモコン。
【請求項２】
前記取付状態のときに、前記透過部における前記張出部の上端部が、前記カバーケースにおける前記上枠部の上端部と上下方向において略同位置、又は前記上枠部の上端部よりも上位置に配置されることを特徴とする請求項１に記載のガス器具用のリモコン。
【請求項３】
前記取付状態のときに、前記カバーケースにおける前記上枠部の上端部が前記後側ケース部の上端部と上下方向において略同位置となるように構成されていることを特徴とする請求項１又は請求項２に記載のガス器具用のリモコン。
【請求項４】
前記カバーケースにおいて前記開口部の左右両側部には、前面視矩形状に構成されるとともに後方側に押下可能に構成された側部スイッチがそれぞれ設けられ、
各々の前記側部スイッチはいずれも、前記開口部の開口領域に隣接して配置され、且つ上下幅が前記開口部の上下幅と略同幅となるように構成されており、
前記取付状態のときに、各々の前記側部スイッチの前面と前記透過部の前面とが前後方向において略同位置となり、且つ各々の前記側部スイッチの上端部と前記カバーケースの前記上枠部の上端部とが上下方向において略同位置となるように構成されていることを特徴とする請求項１から請求項３のいずれか一項に記載のガス器具用のリモコン。
【請求項５】
前記カバーケースにおける前記開口部の下部には、前面視矩形状に構成されると共に前後方向に押下可能に構成された１又は複数の下部スイッチが設けられ、
１又は複数の前記下部スイッチが配置されるスイッチ領域が、前記開口部における開口領域の下端縁全範囲に隣接しており、
前記取付状態において、１又は複数の前記下部スイッチの前面と前記透過部の前面とが前後方向において略同位置となるように構成されていることを特徴とする請求項１から請求項４のいずれか一項に記載のガス器具用のリモコン。
【発明の詳細な説明】
【技術分野】
【０００１】
本発明は、ガス器具用のリモコンに関するものである。
【背景技術】
【０００２】
従来から、ガス器具用のリモコンとして、台所、浴室等の壁面に固定されるリモートコントローラなどが用いられている。この種のリモコンは、出湯温度、時刻、風呂の水位、風呂温度、運転モード等の情報を表示する液晶表示器等の表示パネルや、各種スイッチ類などを備えた構成となっており、例えば、表示パネルを見ながらスイッチ類を操作することにより、屋外等に設定された給湯器などの遠隔操作が可能となっている。
【先行技術文献】
【特許文献】
【０００３】
【特許文献１】特開２０１２−１１１２０９号公報
【発明の概要】
【発明が解決しようとする課題】
【０００４】
ところで、この種のリモコンは、ユーザが直接操作する装置であり、ユーザに密接に関わる装置であるため、美観を重視した構成が求められる。リモコンの美観を高めようとする技術としては、例えば、特許文献１のような発明が提案されており、この発明では、樹脂製の第１の部材１及び第２の部材２をレーザ溶着によって接合することで防水性の筐体Ｃを構成し、この筐体Ｃの内部に電装基板などを収容している。そして、筐体Ｃは、ネジ体挿通用孔１３，２３に挿し通されるネジ体によって壁面９０に固定することができるようになっており、この筐体Ｃの前面部がカバー体４によって覆い隠されることで、正面側から筐体Ｃの外面が目視されないようになっている。
【０００５】
しかしながら、特許文献１のように、筐体の前面部を単にカバー体によって覆い隠すだけでは、表示領域や操作領域として機能しないフレーム部分が相当の存在感を持って位置することになり、美観を損ねるという問題がある。特に、この種のリモコンでは、表示領域がユーザの注意を惹く重要な部分となるため、できるだけ表示領域の存在をより広く認識させたいという要望があるが、表示領域の付近にベゼル的な部分が広く存在すると、折角の表示領域の美観性が阻害或いは希釈化されるという問題がある。
【０００６】
本発明は、上述した課題を解決するためになされたものであり、表示パネルの周囲において、表示パネルやスイッチなどとして機能しないベゼル（額縁）的な部分をできるだけ配置しないように構成することができ、表示パネル周辺の美観の向上を図ることが可能な構成を提供することを目的とする。
【課題を解決するための手段】
【０００７】
本発明は、後側ケース部と前記後側ケース部の前面側に固定される前側ケース部とを備えたケース本体と、前記ケース本体の前面側を部分的に覆う構成で装着されるカバーケースと、を備え、前記ケース本体内の少なくとも上部側に発光表示パネルが配置されたリモコンであって、
前記前側ケースは、前記カバーケースに前側が覆われる本体部と、当該前側ケースの左右方向一部領域において前記本体部よりも前方側に突出して配置され且つ前記発光表示パネルからの光を透過させるように構成された前面視矩形状の透過部と、を備え、前記透過部の上端部が前記本体部の上端よりも上方に張り出す張出部として構成されており、
前記カバーケースは、前記透過部を挿入可能な開口部と、前記開口部の左右両側に配置される一対の被覆部と、を備え、前記一対の被覆部の上端部間に架設された形で前記開口部の上端部を構成する上枠部が設けられており、
前記ケース本体に前記カバーケースが取り付けられた取付状態では、前記開口部内に前記透過部が嵌り込むとともに前記一対の被覆部が前記開口部の左右両側で前記前側ケースの前記本体部を被覆するように配置され、且つ前記一対の被覆部の間に架設された前記上枠部が前記前側ケースの前記張出部の後方に配置された構成となることを特徴とする。
【発明の効果】
【０００８】
請求項１の発明は、ケース本体の前側ケースにおいて、カバーケースに前側が覆われる本体部と、当該前側ケースの左右方向一部領域において本体部よりも前方側に突出して配置され且つ発光表示パネルからの光を透過させるように構成された前面視矩形状の透過部とが設けられており、透過部の上端部が本体部の上端よりも上方に張り出す張出部として構成されている。
一方、カバーケースは、透過部を挿入可能な開口部と、開口部の左右両側に配置される一対の被覆部と、を備え、一対の被覆部の上端部間に架設された形で開口部の上端部を構成する上枠部が設けられている。
そして、ケース本体にカバーケースが取り付けられた取付状態では、開口部内に透過部が嵌り込むとともに一対の被覆部が開口部の左右両側で前側ケースの本体部を被覆するように配置され、且つ一対の被覆部の間に架設された上枠部が前側ケースの張出部の後方に配置された構成となる。
この構成によれば、カバーケースに形成された開口部に透過部を挿入して透過部を前方側に露出させるといった組付け構造を実現しつつ、カバーケースの上枠部を透過部上端側に形成された張出部の後ろ側に隠すといった特徴的構造を用いることで、カバーケースの上枠部を前方側から見えにくくすることができる。つまり、カバーケースの開口部周縁領域（即ち、最終製品において透過部の周囲に存在する部分）のうち、少なくとも透過部の上側部分の存在感を確実に低減することができ、その一方で、透過部の視認可能範囲を広げることができるため、透過部の存在感を確実に増大させることができる。よって、「ベゼル的な部分を抑え、表示パネルに関連する部分を広く確保する」といった観点で、美観の向上が図られる。
また、カバーケースの構造としては、透過部上側部分の存在感を低減するためにこの部分を完全に無くした構造とすることも考えられるが、このような構造では、透過部の両側に配置される部分などが撓みやすく強度や耐久性が問題となる。これに対し、本発明では、透過部の上側部分を完全に無くすのではなく、上枠部を残した構造としているため、カバーケース全体の強度や耐久性が効果的に高められる。
【０００９】
請求項２の発明では、取付状態のときに、透過部における張出部の上端部が、カバーケースにおける上枠部の上端部と上下方向において略同位置、又は上枠部の上端部よりも上位置に配置される。このような構成とすれば、カバーケースの上枠部が前側からより見えにくくなり、上枠部をより目立ちにくくすることができる。
【００１０】
請求項３の発明では、取付状態のときに、カバーケースにおける上枠部の上端部が後側ケース部の上端部と上下方向において略同位置となるように構成されている。このように、カバーケースの上枠部の上端部と、後側ケース部の上端部とを上下方向において揃えた関係とすれば、カバーケースとケース本体との外観上の一体性（特に装置上端部における一体性）が高められ、美観の面でより有利になる。
【００１１】
請求項４の発明では、カバーケースにおいて開口部の左右両側部には、前面視矩形状に構成されるとともに後方側に押下可能に構成された側部スイッチがそれぞれ設けられ、各々の側部スイッチはいずれも、開口部の開口領域に隣接して配置され、且つ上下幅が開口部の上下幅と略同幅となるように構成されている。そして、取付状態のときに、各々の側部スイッチの前面と透過部の前面とが前後方向において略同位置となり、且つ各々の側部スイッチの上端部とカバーケースの上枠部の上端部とが上下方向において略同位置となるように構成されている。
この構成によれば、透過部の両側に側部スイッチを近接させて配置することができるため、透過部の上側だけでなく、両側方においても、ベゼル的な部分が配置される印象を確実に低減することができる。
しかも、側部スイッチは、開口部の上下幅と略同幅であるため、この開口部を介して露出する透過部と上下のサイズが揃えられ、各々の側部スイッチの前面と透過部の前面とが前後方向において略同位置であるため、前面部の前後関係も透過部と揃えられることになる。このような構成であるため、透過部の露出部分と側部スイッチとの間で外観上の一体性が非常に大きくなり、この点で、美観性をより一層高めることができる。
更に、各々の側部スイッチの上端部とカバーケースの上枠部の上端部とが上下方向において揃えられているため、側部スイッチが上方に突出した印象や下方に凹んだ印象を与えにくくなる。従って、カバーケース上端部付近にまで及ぶ側部スイッチを設けつつも、カバーケース上端部側の美観が損なわれにくい構成とすることができる。
【００１２】
請求項５の発明では、カバーケースにおける開口部の下部には、前面視矩形状に構成されると共に前後方向に押下可能に構成された１又は複数の下部スイッチが設けられ、１又は複数の下部スイッチが配置されるスイッチ領域が、開口部における開口領域の下端縁全範囲に隣接している。そして、取付状態において、１又は複数の下部スイッチの前面と透過部の前面とが前後方向において略同位置となるように構成されている。
この構成によれば、透過部の下側において透過部の全幅にわたるように下部スイッチを近接させて配置することができるため、透過部の上側だけでなく、下側においても、ベゼル的な部分が配置される印象を確実に低減することができる。しかも、下部スイッチの前面と、透過部の前面とが前後方向において揃えられているため、透過部の露出部分と下部スイッチとの間で外観上の一体性が非常に大きくなり、この点で、美観性をより一層高めることができる。
【図面の簡単な説明】
【００１３】
【図１】図１は、第１実施形態に係るリモコンを概略的に例示する斜視図である。
【図２】図２は、図１のリモコンの正面図である。
【図３】図３（Ａ）は、図１のリモコンの平面図であり、図３（Ｂ）は、図１のリモコンの底面図である。
【図４】図４（Ａ）は、図１のリモコンの左側面図であり、図４（Ｂ）は、図１のリモコンの右側面図である。
【図５】図５は、図１のリモコンを分解した様子を概略的に示す分解斜視図である。
【図６】図６（Ａ）は、図２のＡ−Ａ断面概略図であり、図６（Ｂ）は、図２のＢ−Ｂ断面概略図である。
【図７】図７（Ａ）は、図６（Ａ）の一部を拡大して示す拡大図であり、図７（Ｂ）は、図６（Ｂ）の一部を拡大して示す拡大図である。
【図８】図８（Ａ）は、ケース本体に対してカバーケースを取り付ける様子を説明する説明図であり、図８（Ｂ）は、図８（Ａ）の一部を拡大して示す拡大図である。
【図９】図９は、図１等で示すリモコンにおいて、本体ケースからカバーケースを取り外した様子を概略的に示す平面図である。
【図１０】図１０は、図１等で示すリモコンにおいて、本体ケースからカバーケースを取り外した様子を概略的に示す底面図である。
【図１１】図１１は、図１等で示すリモコンにおいて、本体ケースからカバーケースを取り外した様子を概略的に示す右側面図である。
【図１２】図１２は、図１等で示すリモコンにおいて、本体ケースからカバーケースを取り外した様子を概略的に示す左側面図である。
【図１３】図１３は、図１等で示すリモコンのカバーケースを概略的に示す背面図である。
【図１４】図１４は、図１等で示すリモコンの本体ケースを概略的に示す正面図である。
【図１５】図１５は、図１等で示すリモコンの本体ケースを概略的に示す背面図である。
【発明を実施するための形態】
【００１４】
[第１実施形態]
以下、本発明を具現化した第１実施形態について、図面を参照して説明する。
リモコン１は、ガス器具（例えば、給湯器）を遠隔操作するためのガス器具用リモートコントローラとして構成されており、浴室、台所等において所定の取付箇所（例えば壁面）に固定されるものである。このリモコン１は、図１〜図５のような外観をなしており、主として、図５のような部品などによって構成されている。
【００１５】
なお、本明細書では、リモコン１の厚さ方向を前後方向としており、透過部７ｂの表示側の外面（前面２１）と直交する方向が前後方向となっている。そして、透過部７ｂの表示側の外面（前面２１）が設けられた側を前方側、それとは反対側を後方としている。また、前後方向と直交する方向であって且つ被覆部５３、５４が向かい合う方向を左右方向（横方向）としており、図２のように前方側からみて左側をリモコン１の「左側」、前方側から見て右側をリモコン１の「右側」とする。なお、図２等の例では、張出部２３が延びる方向や透過部７ｂの長手方向が左右方向となっている。また、前後方向及び左右方向と直交する方向を上下方向としており、図２の例では、透過部７ｂの短手方向やリモコン１の短手方向が上下方向となっている。
【００１６】
図１、図５等で示すように、リモコン１は、後側ケース部５と後側ケース部５の前面側に固定される前側ケース部７とを備えたケース本体３と、ケース本体３の前面側を部分的に覆う構成で装着されるカバーケース９とを備えている。そして、ケース本体３の内部には、図示しない回路基板が収容されており、ケース本体３内の少なくとも上部側には、例えばこの回路基板に実装された形で発光表示パネル１１が配置されている。なお、図２、図６では、ケース本体３の内部に収容される発光表示パネル１１を二点鎖線によって概念的に示している。この発光表示パネル１１は、例えば、液晶表示器などの公知の表示装置として構成されており、少なくとも前方側に光を放出しながら表示を行い得る構成となっている。
【００１７】
図５等で示す前側ケース部７は、例えば、樹脂材料などによって構成されており、カバーケース９に前側が覆われる本体部７ａと、取付状態のときに外部に露出して配置される透過部７ｂとを備えている。図５、図１４で示すように、前側ケース部７は、前面視矩形状、且つ後方側が開放した箱状に構成されており、図６（Ｂ）、図９〜図１２で示すように、前側ケース部７の前面部における左右方向一部領域において本体部７ａよりも前方側に突出するように透過部７ｂが設けられている。より具体的には、前側ケース部７における上下方向の上半分領域内に収まるように当該前側ケース部７の上端部寄りに透過部７ｂが形成されている。また、透過部７ｂは、前側ケース部７の左右方向の中心位置を挟んで当該中心位置の両側に跨るように、例えば前側ケース部７全体の左右幅の１／２以上の幅で形成されている。
【００１８】
図５のように、本体部７ａは、前側ケース部７において透過部７ｂ以外を構成する部分となっており、透過部７ｂの前面２１よりも後方位置に配置された前面部３１と、この前面部３１から後方側に立ち上がり且つ環状に構成される周縁部３３と、を備えている。前面部３１は、大部分の外面が、前面２１よりも後方側において前面２１と平行な平坦面として構成されており、周縁部３３は、この平坦面よりも後方側に突出する環状の壁部として構成されている。そして、このように構成される本体部７ａの前面部３１から前方側に突出するように透過部７ｂが設けられている。
【００１９】
透過部７ｂは、例えば透明性（無色透明或いは有色透明等の透明性）を有し、図１、図２、図６（Ｂ）、図７（Ｂ）のように、発光表示パネル１１を収容しつつ覆うように箱状（後方側が開放した箱状）の形態となっており、発光表示パネル１１から放出された光を前方側に透過（照出）させるように構成されている。図１、図２、図５等で示すように、透過部７ｂは、前面視矩形状（即ち、前方側から見て外縁部が矩形形状となる形態）となっている。また、透過部７ｂの前面２１は、前後方向と直交する平面方向と平行な平坦面となっており、この前面２１の外縁形状は、横長の長方形状となっている。
【００２０】
更に、透過部７ｂの上端部は、本体部７ａの上端部２５よりも上方に張り出す張出部２３として構成されている。図５、図９等で示すように、張出部２３は、横方向（左右方向）の延びるリブ状の形態となっており、この張出部２３の先端面（上端部２３ａ）は、所定範囲（被覆部５３に近接する位置から被覆部５４に近接する位置までの範囲）において上下方向の位置が一定となっている。
【００２１】
後側ケース部５は、例えば、樹脂材料などによって構成され、図５のように、前面視矩形状、且つ前方側が開放した箱状に構成されており、図５、図６等で示すように、前側ケース部７によって前方側が覆われる構成となっている。そして、図９〜図１２で示すように、前側ケース部７と結合することで、内部に収容空間を備えたケース本体３を構成している。この後側ケース部５は、板状の壁部（後壁部）７２と、この壁部７２から前側に立ち上がる周壁部とを備えている。そして、壁部７２の上端部には、左右方向に延びる上壁部７１が形成され、壁部７２の下端部には、左右方向に延びる下壁部７３が形成され、両側端部には、上下方向に延びる側壁部７５，７６がそれぞれ形成されている。そして、これら壁部７１、７３、７５、７６が連結されることで、環状の周壁部が構成されている。また、壁部７２には、ケース本体３内から電線等を引き出すための孔部７９が形成されている。
【００２２】
図１０、図１２のように、前側ケース部７及び後側ケース部５は、公知の溶着やねじ等の連結部材を用いた連結などによって互いに組み付けられ、これにより、箱状のケース本体３が構成されている。そして、このケース本体３の上端部において、張出部２３と上壁部７１との間には、横方向に延びる溝部２７が形成されている。本構成では、後側ケース部５の上端部（上壁部７１の上面部）と張出部２３の上端部２３ａ（張出部２３の上面部）とが上下方向において同位置となるように面一に構成されており、上壁部７１の上面部も張出部２３の上面部も、外面が同一の仮想平面（上下方向と直交する向きの所定の仮想平面）上に配置される関係となっている。一方、後側ケース部５の上端部（上壁部７１の上面部）と張出部２３の上端部２３ａ（張出部２３の上面部）との間に配置される本体部７ａの上端部２５（周縁部３３の上面部）は、後側ケース部５の上端部（上壁部７１の上面部）及び張出部２３の上端部２３ａ（張出部２３の上面部）よりも下位置に段差状に構成されている。このような構成により溝部２７が形成され、溝部２７の底部が本体部７ａの上端部２５となっている。そして、図３（Ａ）、図６（Ｂ）、図７（Ｂ）で示すように、この溝部２７には、後述するカバーケース９の上枠部５５が嵌り込むようになっている。なお、このように構成されるケース本体３は、例えばねじ等の連結部材を孔部７７、７８（図１４、図１５）に挿し通す等の取付構造により、取付対象（浴室や台所などの壁部）に固定することができる。
【００２３】
カバーケース９は、図５のような外観をなし、且つ図１３のような背面構造となっており、全体或いはほぼ全体が樹脂材料によって構成されている。このカバーケース９は、ケース本体３における透過部７ｂ以外の部分の前方側を覆うように機能するものであり、透過部７ｂを挿入可能な開口部５１と、開口部５１の左右両側に配置される一対の被覆部（側方被覆部）５３，５４と、開口部５１の位置よりも下方側の位置を被覆する下方側被覆部５７とを備えている。そして、一対の被覆部５３，５４の上端部間に架設された形で開口部５１の上端部を構成する上枠部５５が設けられている。
【００２４】
図２、図５等で示すように、開口部５１は、開口領域の形状が正面視矩形状（具体的には、横方向に長い長方形状）となっている。そして、横方向に延びる上枠部５５の下面部によって開口部５１の上側の内縁部が構成されており、被覆部５３、５４の開口領域側の側部（上下方向に延びる端部）によって左右両側の内縁部が構成されている。更に、下方側被覆部５７の開口領域側の端部（左右方向に延びる端部）によって下側の内縁部が構成されている。なお、図１、図２、図５等で示す例では、具体的には、後述する側部スイッチ６１、６２の開口領域側の側部によって開口部５１の左右両側の内縁部が構成されており、後述する下部スイッチ６４、６５、６６の開口領域側の端部（上端部）によって開口部５１の下側の内縁部が構成されている。このようにして、内縁部が矩形状（横長の長方形状）に構成された開口部５１が設けられている。
【００２５】
被覆部５３、５４を構成する側部スイッチ６１，６２は、カバーケース９において開口部５１の左右両側部に設けられ、前面視矩形状に構成されている。また、各々の側部スイッチ６１，６２はいずれも、開口部５１の開口領域に隣接して配置され、且つ上下幅が開口部５１の上下幅と略同幅となるように構成されている。これら側部スイッチ６１、６２は、自然状態（人によって押されていない状態）のときに、図４、図５、図９等で示す位置となるように前側に向けて付勢されている。また、側部スイッチ６１、６２のいずれも、人によって付勢に抗した押圧操作（後方側へ押す操作）がなされたときに、後方側の所定位置まで変位（後退）するようになっている。側部スイッチ６１が押されて後退したときには、側部スイッチ６１に設けられた２つの突起部６１ｙ、６１ｚ（後方側に突出する突起）が図示しない接触スイッチを押すようになっており、このように接触スイッチが押されたときには、当該接触スイッチにて押圧信号が発生する。同様に、側部スイッチ６２に設けられた２つの突起部６２ｙ、６２ｚ（後方側に突出する突起）が図示しない接触スイッチを押すようになっており、このように接触スイッチが押されたときには、当該接触スイッチにて押圧信号が発生する。
【００２６】
カバーケース９における開口部５１の下部には、前面視矩形状に構成されると共に前後方向に押下可能に構成された複数の下部スイッチ６４，６５，６６が設けられている。これら複数の下部スイッチ６４，６５，６６が配置されるスイッチ領域は、開口部５１における開口領域の下端縁全範囲に隣接している。これら下部スイッチ６４，６５，６６のいずれも、自然状態（人によって押されていない状態）のときに、図５、図９で示す位置となるように前側に向けて付勢されている。また、下部スイッチ６４，６５，６６のいずれも、人によって付勢に抗した押圧操作（後方側へ押す操作）がなされたときに、後方側の所定位置まで変位（後退）するようになっている。下部スイッチ６４が押されて後退したときには、下部スイッチ６４に設けられた３つの突起部６４ｘ、６４ｙ、６６ｚ（後方側に突出する突起）が図示しない接触スイッチを押すようになっており、このように接触スイッチが押されたときには、当該接触スイッチにて押圧信号が発生する。同様に、下部スイッチ６５が押されて後退したときには、下部スイッチ６５に設けられた３つの突起部６５ｘ、６５ｙ、６５ｚ（後方側に突出する突起）が図示しない接触スイッチを押すようになっており、このように接触スイッチが押されたときには、当該接触スイッチにて押圧信号が発生する。同様に、下部スイッチ６６が押されて後退したときには、下部スイッチ６６に設けられた３つの突起部６６ｘ、６６ｙ、６６ｚ（後方側に突出する突起）が図示しない接触スイッチを押すようになっており、このように接触スイッチが押されたときには、当該接触スイッチにて押圧信号が発生する。
【００２７】
このように構成されるカバーケース９は、係合構造によってケース本体３に取り付けることができるようになっている。カバーケース９をケース本体３に取り付ける際の上部側の係合は、図６（Ｂ）、図７（Ｂ）のように上枠部５５を溝部２７に嵌め込むことによる係合、及びカバーケース９の内壁部に形成された凸部８１、８２（図１３）を、前側ケース部７に形成された凹部９１、９２（図９等）に挿入することによる係合によってなされている。また、カバーケース９をケース本体３に取り付ける際の下部側の係合は、カバーケース９の内壁部に形成された凸部８３、８４、８５（図１３）を、前側ケース部７に形成された凹部９３、９４、９５（図１０等）にそれぞれ挿入することによる係合によってなされている。具体的には、図８（Ａ）（Ｂ）で示すように、カバーケース９の後面部側から開口部５１内に透過部７ｂを挿入し、張出部２３を上枠部５５よりも前側に位置させた後に、上枠部５５を溝部２７内に嵌め入れるように引っ掛けた状態とする。この引っ掛け操作では、透過部７ｂを開口部５１に挿入した段階で、開口部５１に対する透過部７ｂの左右方向への相対移動が規制されるため、カバーケース９がケース本体３に対して左右方向に位置ずれしにくくなる。このように左右方向の位置ずれが規制された状態で、図８（Ａ）（Ｂ）のように上枠部５５を溝部２７に嵌め入れれば、カバーケース９とケース本体３の上端部同士は、左右方向と前後方向の相対移動が規制された関係となる。また、このようは引っ掛け状態のときには、カバーケース９の凸部８１、８２（図１３）がそれぞれ前側ケース部７に形成された凹部９１、９２（図９等）に挿入され、これらの位置でも係合状態となる。このように、開口部５１内に透過部７ｂを挿入し、上枠部５５を溝部２７に嵌め入れるという簡単な操作を行うだけで、上端部同士を安定した係合状態とすることができる。そして、図８（Ａ）（Ｂ）のような引っ掛け状態の段階では、上枠部５５は、溝部２７内においてある程度の揺動が許容され、図８（Ａ）（Ｂ）のような状態から、上枠部５５を支点としてカバーケース９の下端部側をケース本体３の下端部側に近づけるような揺動操作を行うことができる。このような揺動操作によってカバーケース９の下端部側をケース本体３の下端部側に押し付けることにより、カバーケース９の下端部側において若干の弾性変形を伴いながら、カバーケース９の内壁部に形成された凸部８３、８４、８５（図１３等）が、前側ケース部７に形成された凹部９３、９４、９５（図１０等）にそれぞれ挿入されることになり、下端部同士も安定した係合状態となる。
【００２８】
図１、図２、図６（Ｂ）、図７（Ｂ）のように、カバーケース９がケース本体３に取り付けられた取付状態のときには、開口部５１内に透過部７ｂが嵌り込むとともに一対の被覆部５３，５４が開口部５１の左右両側で前側ケースの本体部７ａを被覆するように配置される。この取付状態のときには、図１、図２のように、前側ケース部７の一部（透過部７ｂ）が前方側に露出してリモコン１の前面部の一部を構成し、その前面部の残余の部分が、カバーケース９の前面部によって構成されることになる。そして、一対の被覆部５３，５４の間に架設された上枠部５５は、前側ケースの張出部２３の後方に配置されるため、上枠部５５は前方側から見えない又は見えにくい状態となり、前方側から見たときに、透過部７ｂ付近は、図１、図２のように、透過部７ｂがリモコン１の上端部にまで及んでいるような外観となる。
【００２９】
また、このような取付状態のときには、透過部７ｂにおける張出部２３の上端部２３ａと、カバーケース９における上枠部５５の上端部５５ａと、後側ケース部５の上端部（上壁部７１の上面部）とが、上下方向において略同位置となるように構成されている。より具体的には、図６（Ｂ）、図７（Ｂ）のように、張出部２３の上端部２３ａと、上枠部５５の上端部５５ａと、後側ケース部５の上端部（上壁部７１の上面）と、が面一で揃えられ且つ近接した関係となる。
【００３０】
また、このような取付状態のときには、各々の側部スイッチの前面６１ａ，６２ａと透過部の前面２１とが前後方向において略同位置となり、且つ各々の側部スイッチ６１，６２の上端部６１ｂ，６２ｂとカバーケース９の上枠部５５の上端部５５ａとが上下方向において略同位置となる。より具体的には、図５、図６（Ａ）、図７（Ａ）のように、各々の側部スイッチ６１，６２の上端部６１ｂ，６２ｂと、上枠部５５の上端部５５ａとが面一で揃えられ且つ近接した関係となる。
【００３１】
また、このような取付状態のときには、複数の下部スイッチ６４，６５，６６の前面６４ａ，６５ａ，６６ａと透過部７ｂの前面２１とが前後方向において略同位置となる。より具体的には、下部スイッチ６４，６５，６６の前面６４ａ，６５ａ，６６ａと、透過部７ｂの前面２１とが、面一で揃えられ且つ近接した関係となる。
【００３２】
（本構成の主な効果）
本構成によれば、カバーケース９に形成された開口部５１に透過部７ｂを挿入して透過部７ｂを前方側に露出させるといった組付け構造を実現しつつ、カバーケース９の上枠部５５を透過部７ｂの上端側に形成された張出部２３の後ろ側に隠すといった特徴的構造を用いることで、図２等のように、カバーケース９の上枠部５５を前方側から見えにくくすることができる。つまり、カバーケース９における開口部５１の周縁領域（即ち、最終製品において透過部７ｂの周囲に存在する部分）のうち、少なくとも透過部７ｂの上側部分の存在感を確実に低減することができ、その一方で、透過部７ｂの視認可能範囲を少なくとも上方側に広げることができるため、透過部７ｂの存在感を確実に増大させることができる。よって、「ベゼル的な部分を抑え、表示パネルに関連する部分を広く確保する」といった観点で、美観の向上が図られる。
【００３３】
また、カバーケース９の構造としては、透過部７ｂの上側部分の存在感を低減するためにこの部分を完全に無くした構造とすることも考えられるが、このような構造では、透過部７ｂの両側に配置される部分（図１、図２等の例では被覆部５３、５４に相当する部分）などが撓みやすく強度や耐久性が問題となる。これに対し、本構成では、透過部７ｂの上側部分を完全に無くすのではなく、上枠部５５を残した構造としているため、カバーケース９の全体的な強度や耐久性が効果的に高められる。
【００３４】
また、本構成では、図６（Ｂ）、図７（Ｂ）のように、取付状態のときに、透過部７ｂにおける張出部２３の上端部２３ａが、カバーケース９における上枠部５５の上端部５５ａと上下方向において略同位置に配置されている。この構成によれば、カバーケース９の上枠部５５が前側からより見えにくくなり、上枠部５５をより目立ちにくくすることができる。なお、張出部２３の上端部２３ａは、上枠部５５の上端部５５ａよりも上位置に配置されていてもよい。このようにすれば、上枠部５５を目立ちにくくするといった効果を一層高めることができる。
【００３５】
また、本構成では、図６、図７のように、取付状態のときに、カバーケース９における上枠部５５の上端部５５ａが、後側ケース部５の上端部（上壁部７１の上面）と上下方向において略同位置となるように構成されている。このように、カバーケース９の上枠部５５の上端部５５ａと、後側ケース部５の上端部（上壁部７１の上面）とを上下方向において揃えた関係とすれば、カバーケース９とケース本体３との外観上の一体性（特に装置上端部における一体性）が高められ、美観の面でより有利になる。より具体的には、図４のように、上枠部５５の上端部５５ａと後側ケース部５の上端部（上壁部７１の上面）とが面一で揃えられ且つ近接した関係となっているため、図４のように側面視したときに、これらの部分が凹凸の少ない平滑状態として認識されやすく、美観の面でより有利になる。
【００３６】
また、カバーケース９において開口部５１の左右両側には、前面視矩形状に構成されるとともに後方側に押下可能に構成された側部スイッチ６１，６２がそれぞれ設けられ、各々の側部スイッチ６１，６２はいずれも、開口部５１の開口領域に隣接して配置され、且つ上下幅が開口部５１の上下幅と略同幅となるように構成されている。そして、取付状態のときに、各々の側部スイッチの前面６１ａ，６２ａと透過部の前面２１とが前後方向において略同位置となり、且つ各々の側部スイッチ６１，６２の上端部６１ｂ，６２ｂとカバーケース９の上枠部５５の上端部５５ａとが上下方向において略同位置となるように構成されている。この構成によれば、図１、図２のように、透過部７ｂの両側に側部スイッチ６１，６２を近接させて配置することができるため、透過部７ｂの上側だけでなく、両側方においても、ベゼル的な部分が配置される印象を確実に低減することができる。しかも、図２のように、側部スイッチ６１，６２の上下幅は、開口部５１の上下幅と略同幅であるため、開口部５１を介して露出する透過部７ｂと上下のサイズが揃えられ、更には、各々の側部スイッチの前面６１ａ，６２ａと透過部の前面２１とが前後方向において略同位置であるため、前面部の前後関係も透過部７ｂと揃えられることになる。このような構成であるため、透過部７ｂの露出部分と側部スイッチ６１，６２との間で外観上の一体性が非常に大きくなり、この点で、美観性をより一層高めることができる。
【００３７】
より具体的には、各々の側部スイッチ６１，６２の上端部６１ｂ，６２ｂと、透過部７ｂの上端部２３ａとが面一で揃えられ且つ近接した関係となっているため、図２のように正面視したときや図４のように側面視したときに、或いは斜めから見たときに、これらの部分が凹凸の少ない平滑状態として認識されやすく、美観の面でより一層有利になる。
【００３８】
更には、図５、図６（Ａ）、図７（Ａ）、図１０、図１２のように、各々の側部スイッチ６１，６２の上端部６１ｂ，６２ｂとカバーケース９の上枠部５５の上端部５５ａとが上下方向において揃えられているため、側部スイッチ６１，６２が上方に突出した印象や下方に凹んだ印象を与えにくくなる。従って、カバーケース９上端部付近にまで及ぶ側部スイッチ６１，６２を設けつつも、カバーケース９上端部側の美観が損なわれにくい構成とすることができる。より具体的には、図５、図６（Ａ）、図７（Ａ）のように、各々の側部スイッチ６１，６２の上端部６１ｂ，６２ｂと、上枠部５５の上端部５５ａとが面一で揃えられ且つ近接した関係となっているため、図４のように側面視したときや斜めから見たときに、これらの部分が凹凸の少ない平滑状態として認識されやすく、美観の面でより一層有利になる。
【００３９】
また、カバーケース９における開口部５１の下部には、前面視矩形状に構成されると共に前後方向に押下可能に構成された複数の下部スイッチ６４，６５，６６が設けられ、それら複数の下部スイッチ６４，６５，６６が配置されるスイッチ領域が、開口部５１における開口領域の下端縁全範囲に隣接している。そして、図６（Ｂ）、図７（Ｂ）、図９等で示すように、取付状態において、複数の下部スイッチ６４，６５，６６の前面６４ａ，６５ａ，６６ａと透過部の前面２１とが前後方向において略同位置となるように構成されている。この構成によれば、透過部７ｂの下側において透過部７ｂの全幅にわたるように下部スイッチ６４，６５，６６を近接させて配置することができるため、透過部７ｂの上側だけでなく、下側においても、ベゼル的な部分が配置される印象を確実に低減することができる。しかも、下部スイッチ６４，６５，６６の前面６４ａ，６５ａ，６６ａと、透過部の前面２１とが前後方向において揃えられているため、透過部７ｂの露出部分と下部スイッチ６４，６５，６６との間で外観上の一体性が非常に大きくなり、この点で、美観性をより一層高めることができる。より具体的には、下部スイッチ６４，６５，６６の前面６４ａ，６５ａ，６６ａと、透過部７ｂの前面２１とが、面一で揃えられ且つ近接した関係となっているため、図４のように側面視したときや斜めから見たときに、これらの部分が凹凸の少ない平滑状態として認識されやすく、美観の面でより一層有利になる。
【００４０】
［他の実施形態]
本発明は上記記述及び図面によって説明した実施形態に限定されるものではなく、例えば次のような実施形態も本発明の技術的範囲に含まれる。
【００４１】
上記実施形態では、２つの側部スイッチ６１，６２が設けられた例を示したが、側部スイッチの配置はこれに限定されず、例えば、いずれか一方のみであってもよい。また、側部スイッチが省略された構成であってもよい。
【００４２】
上記実施形態では、３つの下部スイッチ６４，６５，６６が設けられた例を示したが、下部スイッチの配置はこれに限定されず、１又は２つの下部スイッチであってもよく、４以上の下部スイッチが配置されていてもよい。また、下部スイッチが省略された構成であってもよい。
【００４３】
上記実施形態では、上下方向において上半分のみで透過部７ｂを露出させているが、透過部７ｂの露出部分は上下方向の中心位置よりも下側に及ぶような配置であってもよい。
【符号の説明】
【００４４】
１…ガス器具用リモコン
３…ケース本体
５…後側ケース部
７…前側ケース部
９…カバーケース
１１…発光表示パネル
７ａ…本体部
７ｂ…透過部
２１…透過部の前面
２３…張出部
２３ａ…張出部の上端部
５１…開口部
５３，５４…被覆部
５５…上枠部
５５ａ…上枠部の上端部
６１，６２…側部スイッチ
６１ａ，６２ａ…側部スイッチの前面
６１ｂ，６２ｂ…側部スイッチの上端部
６４，６５，６６…下部スイッチ
６４ａ，６５ａ，６６ａ…下部スイッチの前面
７１…上壁部の上面（後側ケースの上端部）
【図１】
0006415269.tif 000002
【図２】
0006415269.tif 000003
【図３】
0006415269.tif 000004
【図４】
0006415269.tif 000005
【図５】
0006415269.tif 000006
【図６】
0006415269.tif 000007
【図７】
0006415269.tif 000008
【図８】
0006415269.tif 000009
【図９】
0006415269.tif 000010
【図１０】
0006415269.tif 000011
【図１１】
0006415269.tif 000012
【図１２】
0006415269.tif 000013
【図１３】
0006415269.tif 000014
【図１４】
0006415269.tif 000015
【図１５】
0006415269.tif 000016